(57)【要約】
【課題】  軟式野球用バットとして、打球した際にボールがよく飛ぶバットを得ることを目的とするものである。
【解決手段】  打球部（２）とグリップ部（３）とからなる一体のアルミニウム合金製などのバット本体（１）の、前記打球部（２）先端に形成した大径状のヘッド（２’）に向かって、パイプ状で厚目の柔軟な材質によって形成した打球用被嵌部品（４）を前記グリップ部（３）のグリップエンド（３’）から交換可能に被嵌したことを特徴とする軟式野球用バット（Ａ）の構成とする。
【選択図】    図３
0003100730.tif 000002
【実用新案登録請求の範囲】
【請求項１】
打球部（２）とグリップ部（３）とからなる一体のアルミニウム合金製のバット本体（１）の、前記打球部（２）先端に形成した大径状のヘッド（２’）に向かって、パイプ状で厚目の柔軟な材質によって形成した打球用被嵌部品（４）を前記グリップ部（３）のグリップエンド（３’）から交換可能に被嵌したことを特徴とする軟式野球用バット（Ａ）。
【請求項２】
打球部（２）とグリップ部（３）とからなる一体の繊維強化プラスチック製のバット本体（１）の、前記打球部（２）先端に形成した大径状のヘッド（２’）に向かって、パイプ状で厚目の柔軟な材質によって形成した打球用被嵌部品（４）を前記グリップ部（３）のグリップエンド（３’）から交換可能に被嵌したことを特徴とする軟式野球用バット（Ａ）。
【請求項３】
パイプ状に形成し、内層（４ａ）は厚目に柔軟な材質として、ポリウレタンの弾性スポンジ材からなり、外層（４ｂ）は熱可塑性エラストマー製フィルムによって形成されている打球用被嵌部品（４）を被嵌したことを特徴とする請求項１または請求項２のいずれかに記載の軟式野球用バット（Ａ）。
【請求項４】
打球用被嵌部品（４）をその内面に接着剤または両面接着テープなどを用いて被嵌し、固定し、一体化したことを特徴とする請求項１ないし請求項３のいずれかに記載の軟式野球用バット（Ａ）。
【請求項５】
打球用被嵌部品（４）を被嵌した際に、グリップ部（３）側に段差を生じないように、環状のテーパー部品（４）を嵌合して段差を解消したことを特徴とする請求項１ないし請求項４のいずれかに記載の軟式野球用バット（Ａ）。
【請求項６】
パイプ状に形成し、内層（４ａ）は厚目に柔軟な材質として、ポリウレタンの弾性スポンジ材からなり、外層（４ｂ）は熱可塑性エラストマー製フィルムによって形成されていることを特徴とする軟式野球用バットの打球用被嵌部品（４）。
【考案の詳細な説明】
【考案の詳細な説明】
【技術分野】
【０００１】この考案は、打球がよく飛ぶようにした軟式野球用バットに関するものである。
【背景技術】
【０００２】従来において、軟式野球における軟式ボールは、それがバットで打球されたときに、軟式ボール自体が比較的柔らかな材質、構成となっていることから、打球が充分に飛ばない虞があり、そのために競技の趣が阻害されることとなっており、競技の興趣を盛り上げるには、打球のよく飛ぶバットの出現が希望されるようになっている。
【考案が解決しようとする課題】
【０００３】この考案は、軟式野球用バットとして、打球した際にボールがよく飛ぶバットを得ることを目的とするものである。
【課題を解決するための手段】
【０００４】打球部（２）とグリップ部（３）とからなる一体のアルミニウム合金製のバット本体（１）の、前記打球部（２）先端に形成した大径状のヘッド（２’）に向かって、パイプ状で厚目の柔軟な材質によって形成した打球用被嵌部品（４）を前記グリップ部（３）のグリップエンド（３’）から交換可能に被嵌したことを特徴とする軟式野球用バット（Ａ）、打球部（２）とグリップ部（３）とからなる一体の繊維強化プラスチック製のバット本体（１）の、前記打球部（２）先端に形成した大径状のヘッド（２’）に向かって、パイプ状で厚目の柔軟な材質によって形成した打球用被嵌部品（４）を前記グリップ部（３）のグリップエンド（３’）から交換可能に被嵌したことを特徴とする軟式野球用バット（Ａ）、パイプ状に形成し、内層（４ａ）は厚目に柔軟な材質として、ポリウレタンの弾性スポンジ材からなり、外層（４ｂ）は熱可塑性エラストマー製フィルムによって形成されている打球用被嵌部品（４）を被嵌したことを特徴とする前記記載の軟式野球用バット（Ａ）、打球用被嵌部品（４）をその内面に接着剤または両面接着テープなどを用いて被嵌し、固定し、一体化したことを特徴とする前記記載の軟式野球用バット（Ａ）、打球用被嵌部品（４）を被嵌した際に、グリップ部（３）側に段差を生じないように、環状のテーパー部品（４）を嵌合して段差を解消したことを特徴とする前記記載の軟式野球用バット（Ａ）、およびパイプ状に形成し、内層（４ａ）は厚目に柔軟な材質として、ポリウレタンの弾性スポンジ材からなり、外層（４ｂ）は熱可塑性エラストマー製フィルムによって形成されていることを特徴とする軟式野球用バットの打球用被嵌部品（４）の構成とする。
【考案を実施するための最良の形態】
【０００５】この考案の軟式野球用バット（Ａ）を図において説明すると、図１はこの考案の軟式野球用バット（Ａ）［図３参照］の実施例で、それは一体のアルミニウム合金製または繊維強化プラスチック製のバット本体（１）において、打球部（２）とグリップ部（３）とからなり、打球部（２）の先端部には大径状のヘッド（２’）を形成し、グリップ部（３）の先端にはグリップエンド（３’）が形成されている。そして図２（イ）は打球部（２）に被嵌する打球用被嵌部品（４）を示し、図２（ロ）においては、図２（イ）のＩＩ−ＩＩ’線断面を示し、さらに図２（ハ）は図２（ロ）の一部（点線円で示す）の拡大図である。すなわちこの打球用被嵌部品（４）はパイプ状に形成されており、内層（４ａ）は厚目に柔軟な材質、たとえばポリウレタンの弾性スポンジ材からなり、外層（４ｂ）は熱可塑性エラストマー製フィルムによって形成されている。【０００６】  つぎにこの野球用バット（Ａ）を使用するに当たっては、図３に示すように、図１のバット本体（１）のグリップエンド（３’）から、図２（イ）に示す打球用被嵌部品（４）を打球部（２）に被嵌して用いる。それは必要に応じて、その内面に接着剤または両面接着テープなどを用いてグリップエンド（３’）からヘッド（２’）方向に挿入して被嵌し、固定し、一体化して野球用バット（Ａ）とする。なお打球を繰り返してこの打球用被嵌部品（４）が損傷した際には、それを取り外し、新しいものと取り替えることによって、使用者において容易に再三、軟式野球用バット（Ａ）として再利用することができる。【０００７】  図４（イ）はこの考案の軟式野球用バット（Ａ）のバット本体（１）において、前述の打球用被嵌部品（４）を被嵌した際に、その端部［グリップ部（３）］側に段差を生じないようにするために、予め用意したところの環状のテーパー部品（５）であり、これをバット本体（１）に嵌めてから、前述の打球用被嵌部品（４）を被嵌することにより、図４（ロ）の断面図に示すように、打球用被嵌部品（４）によって生ずる段差を解消して、外見の体裁を整えることができる。
【考案の効果】
【０００８】この考案の軟式野球用バット（Ａ）は、従来、軟式ボールが打球されたときに、ボール自体が比較的柔らかいことから、打球が充分に飛ばない虞があったが、その点において、アルミニウム合金製などのバット本体（１）の打球部（２）に、環状に形成した厚目で柔軟な材質によって形成されている打球用被嵌部品（４）を被嵌した構成とすることにより、軟式野球用バット（Ａ）として、打球した際にボールがよく飛ぶバットを得ることができる。そして被嵌する打球用被嵌部品（４）は損傷したときにはそれを容易に交換することができるものであり、それは軟式野球用バット（Ａ）の再利用となり、また打球用被嵌部品（４）を被嵌した際に、その端部［グリップ部（３）］側に段差を生じないようにするために、予め環状のテーパー部品（５）を用意しておき、それを中央部分に嵌めてから、打球用被嵌部品（４）を被嵌することにより、段差を解消して外見の体裁をよく整えることができる。
【図面の簡単な説明】
【図１】この考案の軟式野球用バットのバット本体を示す正面図。
【図２】この考案の軟式野球用バットに被嵌する打球用被嵌部品を示す正面図。
【図３】この考案の軟式野球用バットのバット本体に打球用被嵌部品を被嵌した状態を示す全体正面図。
【図４】この考案の軟式野球用バットにおいて、テーパー部品を取り付けた例をしめす全体正面図と、要部を断面によって示す全体正面図。
【符号の説明】
（Ａ）    軟式野球用バット
（１）    バット本体
（２）    打球部
（２’）  ヘッド
（３）    グリップ部
（３’）  グリップエンド
（４）    打球用被嵌部品
（４ａ）  内層
（４ｂ）  外層
（５）    テーパー部品
【図１】
0003100730.tif 000003
【図２】
0003100730.tif 000004
【図３】
0003100730.tif 000005
【図４】
0003100730.tif 000006